(57)【特許請求の範囲】
【請求項１】
ワイヤレスマイクロホンから送出される電波をアンテナを介して受信し復調する受信手段と、その復調信号から音声信号、トーン信号、ノイズ信号をそれぞれ個別的に検出する音声信号検出回路、トーン信号検出回路およびノイズ検出回路と、上記受信電波の信号レベルを検出するレベル検出回路と、上記音声信号検出回路の出力側に接続されたミュート回路とを備え、上記トーン信号、上記ノイズ信号もしくは上記信号レベルの内の所定の信号が上記電波の伝達状況を判断するパラメータ信号とされ、上記パラメータ信号により上記ミュート回路が制御されるワイヤレスマイクロホン用受信装置において、
上記パラメータ信号をディジタル変換するＡ／Ｄ変換器と、そのディジタル変換されたパラメータ信号に対するしきい値が設定されており、その大小比較により上記ミュート回路をオンオフ制御する制御手段とを含み、
上記制御手段は、上記パラメータ信号と上記しきい値とが所定の大小関係になった場合には上記ミュート回路をオンにして音声出力を絞るとともに、上記大小関係の継続時間を監視し、上記パラメータ信号が上記しきい値よりも大きい状態（もしくは小さい状態）が所定のＴ１時間継続し、その後にその状態が反転した場合には、その反転時点からあらかじめ設定されたＴ２時間遅らせて上記ミュート回路をオフとしてミュートを解除し、上記パラメータ信号が上記しきい値よりも大きい状態（もしくは小さい状態）が上記Ｔ１時間内に終了して、その状態が反転した場合には、即座に上記ミュート回路をオフとしてミュートを解除することを特徴とするワイヤレスマイクロホン用受信装置。
【発明の詳細な説明】
【０００１】
【発明の属する技術分野】
本発明はワイヤレスマイクロホン用受信装置に関し、さらに詳しく言えば、ミュート回路の制御技術に関するものである。
【０００２】
【従来の技術】
一般に、送信側をワイヤレスマイクロホンとする受信装置においては、その電波が受信されないか、もしくは受信状況が悪いときにノイズ音が出ないようにするためのミュート回路（スケルチ回路と言う場合もある。）が設けられている。
【０００３】
このミュート回路は、ワイヤレスマイクロホンからの電波に含まれているトーン信号やノイズ信号もしくは電波の信号レベルなどに基づいて制御される。すなわち、これらの各信号は電波の伝達状況示すパラメータ信号であり、従来においては、これらのパラメータ信号を所定のしきい値と比較してミュート回路を制御するようにしている。
【０００４】
その構成を概略的に説明すると、トーン信号検出回路、ノイズ信号検出回路および信号レベル検出回路の各々に所定のしきい値（基準値）を有する比較回路が設けられており、例えば信号レベル検出回路について言えば、その信号レベルがしきい値よりも下回った時点で、その比較回路からミュート信号が出力され、ミュート回路により音声信号が絞られる。
【０００５】
【発明が解決しようとする課題】
しかしながら、上記従来技術による場合には、音声検出回路を除く各信号検出回路ごとに比較回路を必要とするため、回路構成が大規模なものになり、コスト高になることは否めない。そればかりでなく、各比較回路にしきい値を設定するにしても、パラメータ信号ごとにそのしきい値が異なるため、設定作業が容易ではない。
【０００６】
また、実際にワイヤレスマイクロホンを使用する場合、まず、受信装置側の電源をオンにして受信待ち受け状態とした上で、ワイヤレスマイクロホン（送信機）の電源をオンにするが、その送信機の立ち上がり特性により、立ち上がり当初電界強度が急峻に変化するとともに、送信周波数が安定するまで若干ではあるが時間がかかる。このとき受信側でノイズが発生しやすい。
【０００７】
このような立ち上がり当初の不安定な電波を拾わないようにするため、従来では比較回路の出力側にアナログ式のタイミング設定回路を設けて、ミュートの制御タイミングを所定時間遅らせるようにしている。
【０００８】
しかしながら、このタイミング設定回路によるミュート制御遅延時間は固定であるため、その遅延時間を遅らせすぎると、通常のマイク使用時において、障害物などの影響により電界強度が弱くなり、本来ミュートがかけられるべきところが、ミュート制御が時間的に遅れてしまうという不都合が生ずる。
【０００９】
【課題を解決するための手段】
本発明は、このような課題を解決するためになされたもので、その目的は、回路構成が簡素であるばかりでなく、各パラメータ信号に対するしきい値の設定が容易であり、しかも状況に応じてミュートをかけるに至る時間を可変とすることができるミュート制御手段を備えたワイヤレスマイクロホン用受信装置を提供することにある。
【００１０】
上記目的を達成するため、本発明は、ワイヤレスマイクロホンから送出される電波をアンテナを介して受信し復調する受信手段と、その復調信号から音声信号、トーン信号、ノイズ信号をそれぞれ個別的に検出する音声信号検出回路、トーン信号検出回路およびノイズ検出回路と、上記受信電波の信号レベルを検出するレベル検出回路と、上記音声信号検出回路の出力側に接続されたミュート回路とを備え、上記トーン信号、上記ノイズ信号もしくは上記信号レベルの内の所定の信号が上記電波の伝達状況を判断するパラメータ信号とされ、上記パラメータ信号により上記ミュート回路が制御されるワイヤレスマイクロホン用受信装置において、上記パラメータ信号をディジタル変換するＡ／Ｄ変換器と、そのディジタル変換されたパラメータ信号に対するしきい値が設定されており、その大小比較により上記ミュート回路をオンオフ制御する制御手段とを含み、上記制御手段は、上記パラメータ信号と上記しきい値とが所定の大小関係になった場合には上記ミュート回路をオンにして音声出力を絞るとともに、上記大小関係の継続時間を監視し、上記パラメータ信号が上記しきい値よりも大きい状態（もしくは小さい状態）が所定のＴ１時間継続し、その後にその状態が反転した場合には、その反転時点からあらかじめ設定されたＴ２時間遅らせて上記ミュート回路をオフとしてミュートを解除し、上記パラメータ信号が上記しきい値よりも大きい状態（もしくは小さい状態）が上記Ｔ１時間内に終了して、その状態が反転した場合には、即座に上記ミュート回路をオフとしてミュートを解除することを特徴としている。
【００１２】
このように、本発明によれば、例えばワイヤレスマイクロホンの電源がオンとされたときに必要とされるミュート回路に対する遅延制御時間と、通常のマイクロホン使用時におけるミュート回路に対する制御時間を異ならせることができる。
【００１３】
本発明において、使用されるパラメータ信号は、トーン信号、ノイズ信号もしくは信号レベルの中から選択されるが、例えばその一つだけをパラメータ信号としてもよいし、３つの信号すべてをパラメータ信号としてもよい。その組み合わせは任意である。
【００１４】
パラメータ信号が、受信側機器制御用のトーン信号もしくは信号レベル（シグナルレベル）である場合には、それらの各信号がしきい値よりも小さい場合に、ミュート回路がオンとされ音声信号が絞られ、しきい値よりも大きい場合にミュート回路がオフ、すなわちミュートが解除される。
【００１５】
パラメータ信号がノイズ信号である場合には、これとは反対に、そのノイズ量がしきい値よりも大きいときにミュートがかけられ、しきい値よりも小さいときにミュートが解除される。
【００１６】
制御手段には、各種の演算が可能なＣＰＵ（ｃｅｎｔｒａｌ  ｐｒｏｃｅｓｓｉｎｇ  ｕｎｉｔ）もしくはＭＰＵ（ｍｉｃｒｏ  ｐｒｏｃｅｓｓｅｒ  ｕｎｉｔ）が用いられる。このような制御手段によれば、各パラメータ信号に対するしきい値を操作卓からキー入力方式により簡単に設定できるとともに、いわゆるワンチップマイコン（マイクロコンピュータ）であるため、回路構成がきわめて簡素化される。
【００１７】
Ａ／Ｄ変換器については、トーン信号検出回路、ノイズ信号検出回路および信号レベル検出回路ごとにそれ専用として設けられてもよいが、Ａ／Ｄ変換器を一つとして、例えば時系列的に各パラメータ信号を順次ディジタル変換するようにしてもよい。
【００１８】
【発明の実施の形態】
次に、本発明の実施例を図１および図２により説明する。なお、図１はこの実施例の概略的なブロック図であり、図２はその動作説明用のタイミングチャートである。
【００１９】
図１によると、この受信装置１０は、図示しないワイヤレスマイクロホンから送出される電波を受信するアンテナ１１と、その受信電波を復調する受信手段１２とを備えている。なお、ワイヤレスマイクロホン側には、各種機器を制御するための可聴周波数帯域外の制御信号を出力するトーン信号発生部が設けられており、マイクロホンユニットからの音声信号に重畳してトーン信号が送出されるものとする。
【００２０】
この実施例において、受信手段１２には、局部発振器１２１と、同局部発振器１２１の出力と受信した電波とを混合して、その差の中間周波数を出力するフロントエンド回路１２２と、その中間周波数を所定に増幅するＩＦ増幅回路１２３とを含むスーパーヘテロダイン方式が採用されている。
【００２１】
受信手段１２の出力側には検波回路１３が設けられており、この検波回路１３により受信電波から音声信号、トーン信号などの信号が検波される。そして、検波回路１３の出力段には、それぞれ特定通過帯域のフィルタ１４１，１５１，１６１を介して音声信号検出回路１４，ノイズ信号検出回路１５およびトーン信号検出回路１６が並列的に接続されている。
【００２２】
音声信号検出回路１４にはミュート回路１７を介して音声出力側の音声信号増幅回路１８が接続されている。ノイズ信号検出回路１５およびトーン信号検出回路１６の出力側には、そのアナログ出力をディジタル信号に変換するＡ／Ｄ変換器１９１，１９２がそれぞれ接続されている。
【００２３】
また、検波回路１３からは受信電波の信号レベル（電界強度）が取り出されるが、検波回路１３にもその信号レベルをディジタル信号に変換するＡ／Ｄ変換器１９３が接続されている。なお、この実施例とは異なり、Ａ／Ｄ変換器を一つとして、ノイズ信号、トーン信号および信号レベルを順次交代的にディジタル信号に変換するようにしてもよい。
【００２４】
この受信装置１０は、ミュート回路１７を制御するための制御手段２０を備えている。ノイズ信号、トーン信号および信号レベルは、電波の伝達状況を判断する一種のパラメータ信号であり、制御手段２０は、これらの各パラメータ信号に基づいてミュート回路１７を制御する。制御手段２０には、ＣＰＵやＭＰＵなどのデータ処理機能を有するマイクロコンピュータが用いられている。
【００２５】
制御手段２０には、ミュート回路１７を制御する上で必要な各パラメータ信号に対するしきい値が設定されている。これらのしきい値は、例えばディップスイッチなどにより個別的にすることができる。
【００２６】
本発明によると、制御手段２０はワイヤレスマイクロホン側の状況を加味してミュート回路１７を制御する。これを図２に示されているタイミングチャートにしたがって説明する。
【００２７】
なお、この例は検波回路１３から出力される信号レベル（電界強度）をパラメータ信号とした場合のもので、図２（ａ）はその信号レベルの波形図であり、同図（ｂ）は制御手段２０から出力されるミュート制御信号の波形図である。
【００２８】
まず、基本的な動作として、制御手段２０は信号レベルＳＬがしきい値Ｔｈよりも小さいときに、ミュート制御信号ＭＣを「Ｌｏ」としてミュート回路１７を動作（オン）させて音声出力を絞る。これに対して、信号レベルＳＬがしきい値Ｔｈを超えているときには、ミュート制御信号ＭＣを「Ｈｉ」としてミュート回路１７をオフとする。
【００２９】
図２（ａ）において、ｔ１時にワイヤレスマイクロホンの電源がオンされたものとする。そして、信号レベルＳＬが徐々に立ち上がり、ｔ２時にしきい値Ｔｈを超えたとすると、制御手段２０はｔ１〜ｔ２時までの時間を計時する。すなわち、制御手段２０は、信号レベルＳＬがしきい値Ｔｈよりも小さい（低い）状態にあるときの時間ｔＷを計時する。
【００３０】
その時間ｔＷが例えば１秒（しきい値時間）以上である場合、制御手段２０はｔ２時にＳＬ≧Ｔｈとなったにも関わらず即座にミュートを解除することなく、ｔ２時から例えば１秒後のｔ３時にミュート制御信号ＭＣを「Ｈｉ」としてミュート回路１７をオフとする。すなわち、ミュートを解除する。
【００３１】
その後のワイヤレスマイクロホン使用中において、ｔ４時に信号レベルＳＬがしきい値Ｔｈを下回ったとすると、制御手段２０はミュート制御信号ＭＣを「Ｌｏ」としてミュート回路１７をオンさせて音声出力を絞る。
【００３２】
そして、ｔ５時に再び信号レベルＳＬがしきい値Ｔｈを超えたとすると、制御手段２０は、ｔ４〜ｔ５時までの時間ｔＷが例えば１秒未満であれば、即座にミュート制御信号ＭＣを「Ｈｉ」としてミュート回路１７をオフとする。
【００３３】
このように、制御手段２０は、信号レベルＳＬがしきい値Ｔｈよりも小さい状態にあるときの時間ｔＷに応じてミュートの制御タイミングを異ならせる。すなわち、時間ｔＷが例えば１秒以上であるならば、ワイヤレスマイクロホンの電源がオフからオンにされたと判断して、ミュートの制御タイミングを遅らせる（上記の例では１秒遅らせる）。
【００３４】
これに対して、時間ｔＷが例えば１秒未満の場合には、マイクとの距離あるいは中間障害物などの影響により電界強度に変化が生じたものと判断し、即座にミュート制御を行なう。
【００３５】
なお、上記実施例では、時間ｔＷのしきい値時間を１秒としているが、しきい値時間は任意に設定できる。また、上記実施例では時間ｔＷがしきい値時間を超えている場合、ミュート制御の遅延時間を１秒としているが、この遅延時間も任意に設定できる。さらに、上記実施例では、時間ｔＷがしきい値時間未満の場合、即座にミュート制御を行なうようにしているが、所定の遅延時間を持たせてもよい。
【００３６】
以上、信号レベル（電界強度）をパラメータ信号とした場合について、この受信装置１０の動作例を説明したが、他のパラメータ信号（ノイズ信号やトーン信号）に基づいてミュート制御を行なうこともできる。また、複数のパラメータ信号を組み合わせることにより、本来受信すべき電波か妨害電波かなどの判断も可能となり、妨害電波抑制回路としても機能させることができる。
【００３７】
【発明の効果】
以上説明したように、本発明によれば、ワイヤレスマイクロホンから送出される電波の信号レベル（電界強度）やその電波に含まれているトーン信号、ノイズ信号の内の所定の信号を電波の伝達状況を判断するパラメータ信号として、ミュート回路を制御するにあたって、ミュート回路をＣＰＵなどの制御手段でコントロール可能としたことにより、回路構成の簡素化が図れるばかりでなく、各パラメータ信号に対するしきい値の設定作業も容易に行なうことができる。
【００３８】
また、パラメータ信号としきい値との大小関係の継続時間に応じて、その大小関係が反転された時点からミュート回路を制御するまでの時間を可変とするようにしたことにより、例えばワイヤレスマイクロホンの電源投入時における電界強度変化と、マイク使用中における障害物などによる電界強度変化とを識別して適切にミュート制御を行なうことができる。
【図面の簡単な説明】
【図１】本発明によるワイヤレスマイクロホン用受信装置の実施例を示した回路ブロック図。
【図２】上記実施例の動作説明用タイミングチャート。
【符号の説明】
１０  受信装置
１２  受信手段
１３  検波回路
１４  音声信号検出回路
１５  ノイズ信号検出回路
１６  トーン信号検出回路
１７  ミュート回路
１９１〜１９３  Ａ／Ｄ変換器
２０  制御手段
【図１】
0004236335.tif 000002
【図２】
0004236335.tif 000003